(57)【特許請求の範囲】
【請求項１】
イオンを発生するために電圧が印加される電極針と、
前記電極針に電圧を印加するための電圧印加手段を内部に含む絶縁性の本体部と、
絶縁材料からなり、前記電極針の先端部分を露出した状態で保持するとともに、前記本体部の一側面から突出する、前記本体部に支持される絶縁性の電極保持部と、
前記電極針が存在する前記本体部の一側面に設けられ、少なくとも一部が前記本体部に当接される対向電極とを有し、
気体分子を電離してイオンを発生するイオン発生装置であって、
前記電極保持部が、前記本体部に対して脱着可能な電極ユニットで構成され、
該電極ユニットが、前記電極針を保持し且つ該電極針に沿って円筒状に延びる円筒状保持部分と、前記電極針の先端を包囲し且つ前記円筒状保持部分から外方に離間して該円筒状保持部分の一部を包囲する外筒部分とを有し、
前記電極ユニットは、前記本体部から突出して設けられた断面円形のスリーブに脱着自在に受け入れられて該本体部に位置固定され、
前記電極ユニットが前記本体部に位置固定されたときに、前記電極ユニットの前記外筒部分が前記スリーブの一部を包囲して、これら外筒部分とスリーブとで前記放電電極の先端と前記対向電極との間の沿面経路を形成し、
前記電極ユニットの外筒部分または前記スリーブの少なくとも一方に設けられた円周フランジによって沿面放電を抑制するための沿面放電抑制部が形成されることを特徴とするイオン発生装置。
【請求項２】
前記円周フランジが前記スリーブの基端部に形成されている、請求項１に記載のイオン発生装置。
【請求項３】
前記円周フランジが前記スリーブと前記外筒部分とに設けられている、請求項１又は２に記載のイオン化発生装置。
【請求項４】
前記本体部は細長いバー形状を有し、その長手方向に互いに間隔を隔てて複数の前記スリーブが設けられている、請求項３に記載のイオン発生装置。
【請求項５】
前記対向電極が、前記本体部の下端面に添設された細長いプレートで構成され、
該細長いプレートの前記複数のスリーブの各々に対応した位置に円形開口が形成され、
前記細長いプレートの前記円形開口の内周縁と前記スリーブのフランジ部分の外周縁との間に隙間が形成されている、請求項４に記載のイオン化発生装置。
【発明の詳細な説明】
【０００１】
【発明の属する技術分野】
本発明はイオン発生装置に関するもので、具体的には効率の良いイオン発生を行なうことができるイオン発生装置に関するものである。
【０００２】
【従来技術】
イオン発生装置とは、電圧を印加した電極針の周辺に電界を形成することで空気分子をイオンする装置で、その発生したイオンを用いて帯電物又は雰囲気の電荷除去作業等に適用される。イオン発生装置は、電極針とともに電界を形成するため、接地された金属や反対極性を印加した電極を対向電極として備えている。
【０００３】
【発明が解決すべき課題】
イオン発生装置は、イオンの発生量を十分に得るため、強い電界を形成する必要がある。強い電界を与える方法としては、電極針に対向電極を近接させることが考えられる。
【０００４】
しかし、近接させる距離が小さすぎると、電極針と対向電極との間を短絡させてしまい、十分なイオン発生量を得ることができなくなるという問題を有する。
【０００５】
上記問題を受けて電極針と対向電極間の距離に関し、上記の短絡が起きないような距離を確保する必要があるが、例えば電極針をイオン発生装置本体から十分に突出させて対向電極との距離を確保した場合、イオン発生装置の大型化につながる。
【０００６】
通常、イオン発生装置は、帯電物の電荷除去に使用される際、生成されたイオンを素早く帯電物に到達するように下向きの気流を発生するダウンフロー装置と共に用いられるが、イオン発生装置が大型化することで、前記ダウンフロー装置から送られる気流を乱し、その流速を弱めるという問題がある。
【０００７】
別の問題として、イオン発生装置は、ダウンフロー装置からの気流とともに送られる塵や、工場内の湿度による水などの汚染物に晒されながら使用されることが多い。この場合、イオン発生装置から突出している電極針や対向電極に塵や水分が付着し、これが原因となって、電界を発生する電極と対向電極との間で短絡が発生し易くなり、イオン発生を行なうための充分な電界が得られなくなる問題もある。
【０００８】
そこで、本発明は、電極針と対向電極間でイオン発生に十分な電界を得つつ短絡を防止することのできるイオン発生装置を提供することを目的としている。
本発明の更なる目的は、イオン発生装置のスリム化が達成されるイオン発生装置を提供することにある。
【０００９】
【課題を解決するための手段および効果】
上記の課題を達成すべく、本発明にあっては、
イオンを発生するために電圧が印加される電極針と、
前記電極針に電圧を印加するための電圧印加手段を内部に含む絶縁性の本体部と、
絶縁材料からなり、前記電極針の先端部分を露出した状態で保持するとともに、前記本体部の一側面から突出する、前記本体部に支持される絶縁性の電極保持部と、
前記電極針が存在する前記本体部の一側面に設けられ、少なくとも一部が前記本体部に当接される対向電極とを有し、
気体分子を電離してイオンを発生するイオン発生装置であって、
前記電極保持部が、前記本体部に対して脱着可能な電極ユニットで構成され、
該電極ユニットが、前記電極針を保持し且つ該電極針に沿って円筒状に延びる円筒状保持部分と、前記電極針の先端を包囲し且つ前記円筒状保持部分から外方に離間して該円筒状保持部分の一部を包囲する外筒部分とを有し、
前記電極ユニットは、本体部から突出して設けられた断面円形のスリーブに脱着自在に受け入れて該本体部に位置固定され、
前記電極ユニットが前記本体部に位置固定されたときに、前記電極ユニットの前記外筒部分が前記スリーブの一部を包囲して、これら外筒部分とスリーブとで前記放電電極の先端と前記対向電極との間の沿面経路を形成し、
前記電極ユニットの外筒部分または前記スリーブの少なくとも一方に設けられた円周フランジによって沿面放電を抑制するための沿面放電抑制部が形成されることを特徴とするイオン発生装置を提供する。
【００１０】
本発明によれば、電極針と対向電極との間における電極保持部に、沿面放電を抑制するための凸または凹の沿面放電抑制形状を有しているので、沿面距離を実質的に拡大して電極針と対向電極間でイオン発生に十分な電界を得つつ短絡が生じないとともに、装置のスリム化が達成されるため、効率の良いイオン発生を行なうことが可能となる。
【００２６】
【発明の実施の形態】
以下に、添付の図面を参照して、本発明の好ましい実施の形態を詳しく説明する。
【００２７】
イオン発生装置の概要の説明
イオン発生装置の全体構成を図１および図２に基づいて説明すると共に、図３に基づいて電極保持バーの構成を説明する。
【００２８】
図１はイオン発生装置（ＥＳＥ）１の斜視図である。イオン発生装置１は、イオン発生に必要な電気部品を内蔵した本体ケース２と、電極針３の電位に対して電位差を有する対向電極板４と、電極針３を保持する電極保持バー５（図３）とを含む。
【００２９】
本体ケース２は、断面逆Ｕ字形の細長いバー形状を外形輪郭を有し、絶縁材料で作られている。イオンを発生するための電極針３は本体ケース２の長手方向に沿って互いに間隔を隔てて配置されている。本体ケース２の内部は、イオン発生に必要な電気部品を内蔵するために中空である。本体ケース２の外側面には操作部６が配置され、この操作部６は、プラスイオンとマイナスイオンの発生周波数を調整するトリマ６０１や異常放電警告ＬＥＤ６０２等を含む（図１）。
【００３０】
図２は、本体ケース２の内部の構成を模式的に示すものである。この図２において、本体ケース２は、その内部に仕切板７を有しており、この仕切板７の上方の上部エリアには、外部からの電源供給を受け電源回路や操作系に関する表示等を制御するＣＰＵ基板１０１と、そのＣＰＵ基板と電気的に接続され、イオン発生に必要な高電圧に昇圧するための高圧ボックス１０２とを有している。また、本体ケース２の仕切板７の下方の下部エリアには、上述した電極保持バー５が設けられており、この電極保持バー５は、電極ユニット８（図４）と、後述するエアパージ用の気流を導くためのエアユニット９とを含んでいる。この電極保持バー５は、本体ケース２の中に２つ設けられ、各電極保持バー５には、４組の電極ユニット８が取り付けられている。２つの電極保持バー５は、チューブ等のエア供給用管によって互いに連結されている。
【００３１】
２つの電極保持バー５のうち一方の電極保持バー５は、高圧ボックス１０２と直接に接続されているおり、また、他方の電極保持バー５は、一方の電極保持バー５を介して高圧ボックス１０２と間接的に接続されている。
【００３２】
本体ケース２の内部を仕切板７によって、上下に、高電圧を発生する部分と、イオンを発生してエアを電極針の近傍に供給する部分とを区画してあるため、これら両者の絶縁性を向上させることができるので、イオン発生のための電界に悪影響を及ぼす短絡を防止することができる。
【００３３】
図１に戻って、対向電極板４は、略Ｕ字上の横断面形状を備えており、例えばステンレスなどの導電性材料から作られた細長いプレートからなり、本体ケース２の下端開口を覆っている。対向電極板４は、５つの電極ユニット８に適合した位置に８つの円形開口４０１を備えている。電極ユニット８は、円形開口４０１を通って外部に露出しており、円形開口４０１は、電極ユニット８の外径寸法よりも実質的大きな直径を有し、これにより円形開口４０１の周縁と電極ユニット８の外径輪郭との間に隙間が形成されている。対向電極板４は、イオンを発生するための電界を形成するために、電極針３に対して電位差を有するように、グランドに接地されている。なお、対向電極４は、本体ケース２の下端の両方の側縁に沿って延び且つ各側縁から下方に向けて垂下する対のプレートで構成してもよく、この対のプレートの下端が互いに接近するように、外方に向けて凸となる湾曲断面を備えているのがよい。すなわち、この対のプレートは、本体ケース２と協同して断面略楕円形状を形成するような形状であるのがよい。
【００３４】
本体ケース２の端面には、上述のＣＰＵ基板１０１と高圧ボックス１０２に電源を供給するとともに、他のイオン発生装置と接続して通信信号のやり取りを行なうためのモジュラコネクタ２０１と、エアパージ用の気流を挿入するためのエア供給口２０２とを有している。
【００３５】
図３および図４を用いて電極保持バー５の説明をする。
図３に示すように、電極保持バー５は、電極針３を保持した電極ユニット８と、複数の電極ユニット８を保持することのできるエアユニット９からなる。
【００３６】
エアユニット９の端部９０１は、高圧ユニット１０２からの電圧供給するためのコネクタ機構を有している。さらに、その端部９０１は、隣接するエアユニット９の端部９０１を互いに差し込むことにより隣接するエアユニット９、９同士を連結できる増設機能を含み、この増設機能によって、所望する長さのイオン発生装置に対応する際に、共通のエアユニット９を任意の数だけ繋ぎ合わせることで長尺の本体ケース２の長さ寸法に適合させることができる。また、後に説明する高電圧配板１２の両端部に折り返しや折り曲げ加工を施して接点を形成することで、隣接する高電圧配板１２同士の接点圧を十分に得ることができる。
【００３７】
電極保持バー５は、先に説明したようにエアユニット９を含むものであり、このエアユニット９は、図４に示すように、エア流路形成部９０３と、接点支持部９０４と、高電圧配板１２を支持するための高電圧配板支持部９０５とを含む。
【００３８】
電極ユニット８は、電極針３と、キャップ１３とからなる組立体で構成されている（図４）。キャップ１３は、電極針３の先端と後端とを除いた本体部分を囲む円筒状保持部分１３１と、電極針３の先端を包囲する外筒部分１３２とを有している。キャップ１３は、エアユニット９の長手方向に沿って互いに間隔を隔てて配置されたスリーブ９０６に対して脱着可能である。
【００３９】
エアユニット９のスリーブ９０６には、その外周面に突起１４が設けられている。他方、キャップ１３の外筒部分１３２には、その後端から先端に向けて傾斜して延びる傾斜スリット１５が設けられている。傾斜スリット１５を突起１４に一致させて電極ユニット８（キャップ１３）をスリーブ９０６に押し込むと、傾斜スリット１５と突起１４との係合による案内作用によって、電極ユニット８は回転動を伴いながらスリーブ９０６の基端部まで進入しながら、電極ユニット８の位置決めが行われる。これにより、電極針３が損傷したり経年変化による消耗から十分なイオン発生ができなくなった場合、電極針３を含む電極ユニット８の交換作業を容易にすることができる。
【００４０】
エアユニット９は、高電圧配板１２と、この高電圧配板１２を挟持する高電圧配板支持部９０５および接点支持部９０４と、エアパージ用の気流を導くためのエア流路Ｆ（図５）を形成する流路形成部９０３とからなる。高電圧配板支持部９０５、接点支持部９０４、及び流路形成部９０３は、例えばポリスチレン等の絶縁材料からなり、互いに超音波溶着等の手段を用いて接合するのがよい。なお、溶着法による接合に当たって、同じ材質のものどうしが溶着度合いが良好なことから、溶着させる２つの部品を同一の材料から作るのが好ましい。
【００４１】
高電圧配板１２はステンレス鋼からなる短冊状の薄板つまりウエブからなり、この高電圧配板１２と電極針３との接点部分は、電極針３の後端面との接点圧を確保するために切り起こすことにより形成された突出片部分１２１を折り曲げることにより、ばね性を付与する構造を有する（図４、図５）。突出片部分１２１は、電極ユニット８毎に、各電極ユニット８に対応した位置に設けられている。
【００４２】
高電圧配板支持部９０５は、高電圧配板１２を受け入れることのできる長手方向に延びる溝形状を有している。この高電圧配板支持部９０５には互いに間隔を隔てて配置された複数の小突起９０７が設けられ、この小突起９０７に対応して、高電圧配板１２には小孔１２３が形成されている。高電圧配板１２は、小孔１２３に小突起９０７を挿入することにより位置決めが行われる。高電圧配板支持部９０５の下面には、その両側縁に沿って長手方向に延びるリブ９０５ａが設けられ、このリブ９０５ａによって、後述する接点支持部９０４との接合が行われる。
【００４３】
接点支持部９０４は、高電圧配板１２を高電圧配板支持部９０５とで挟持するために長手方向に延びた形状を有していると共に、電極ユニット８の電極針３と高電圧配板１２との接点を支持するため支持構造を有している。
【００４４】
接点支持部９０４の高電圧配板支持部９０５との接合面は、高電圧配板支持部９０５のリブ９０５ａを受け入れることのできる溝９０４ａを有している（図５）。接点支持部９０４は、電極針３と高電圧配板１２との接点部分を包囲する円状の開口９０４ｂを有しており、その開口９０４ｂの縁部は下方向に沿って延びるスリーブ９０４ｃを有している（図４）。開口９０４ｂおよびスリーブ９０４ｃは、高電圧配板１２の突出片部分１２１と同じ間隔を隔てて複数個設けられている。接点支持部９０４の下面は、後述する流路形成部９０３と協同してエア流路Ｆを形成するための凹所９０４ｄが形成されている。
【００４５】
接点支持部９０４と流路形成部９０３とは、超音波溶着法により接合されており、この溶着部分には異種材料が存在しないため沿面がなくなる。このため、高電圧配板１２は、高電圧配板支持部９０５と接点支持部９０４とを一体化することにより形成された実質的に密閉した空間内に収容される。従って高電圧配板１２の外部に対する絶縁性の向上を図ることができ、高電圧配板１２が有する高電圧から生じる沿面放電を抑制することができる。
【００４６】
流路形成部９０３は、接点支持部９０４に設けられた凹所９０４ｄと協同してエア流路Ｆを形成するために、上方に向けて開放した箱状の形状を有している。流路形成部９０３には、その長手方向に沿って、接点支持部９０４の開口９０４ｂと同じ間隔を隔てて配置された電極ユニット８用の複数の挿入口９０３ａが設けられている（図４）。その挿入口９０３ａの端部は、下方向に向けて延びるスリーブ９０６を有している。スリーブ９０６の基端近傍には、スリーブ９０６の軸方向に離間した２つのひだ状の円周フランジ部１７が形成されている。
【００４７】
流路形成部９０３の長手方向端は、本体ケース２の端面のエア供給口４から導入される流体つまりエアを受け入れるための開口９０３ｃを有しており、その開口９０３ｃには複数のエアユニット９を図３のように増設した際に使用するゴム製のチューブＴＢが接続可能なエアジョイント１８が取付けられている。
【００４８】
前述のように流路形成部９０３と接点支持部９０４との接合についても上述の高電圧配板支持部と接点支持部との接合と同様に、超音波溶着法によって溶着されているため、高電圧配板１２の高電圧から生じる沿面放電を抑制することができる。
【００４９】
なお、エアユニット９に設けられたビス孔９０８（図３）は、図１で示した対向電極板４の孔４ａを通してビス（図示せず）で固定するために用いられる。
【００５０】
電極針の保持部の説明
図５は、対向電極板４を含む本体ケース２から突出して位置する電極針３と、その電極針３を保持する電極保持バー５と、対向電極板４との組み付けを示す断面図である。
【００５１】
イオン発生装置１の断面形状は、本体ケース２及び対向電極板４とから、図外のダウンフロー装置の気流を弱めたり乱したりすることのない略楕円形状を備えている。
【００５２】
電極針３は、タングステン、ステンレス、もしくはシリコンからなる針状のもので、先端の形状は半径0.5ｍｍ以下がイオンを効率よく発生する上で好ましい。
【００５３】
キャップ１３は、電極針３の先端を露出した状態で電極針３を支持すると共に、電極針３に沿って電極の後端部分近傍まで延びる保持部分１３１と、この保持部分１３１と一体的に設けられた外筒部分１３２とから構成される。なお、キャップ１３を作るための材料として、沿面放電耐性の優れた材料、すなわちＣＩＴ値の大きい材料を用いることが好ましい。
【００５４】
エアユニット９のビス孔９０８（図４）にビス止めされた対向電極板４は、エアユニット９に対して、ビス孔９０８以外に本体ケース２の両側縁部に接触しており、この接触部分は、ダウンフロー装置からの気流を乱すことがないように、段差の無い面一であるのが好ましい。
【００５５】
また本実施例に示す対向電極板４は、上述したイオン発生用の電界を形成するための機能に加えて、発生するイオンのバランスや帯電物に到達したイオン量を最適化するために、その対向電極板４を通る電流をＣＰＵ基板１０１にフィードバックする機能を有している。
【００５６】
電極ユニット８がエアユニット９に固定されることで、図５に示すように、電極針３と対向電極板４間の最短距離の沿面経路Ａ（エア吐出用ポート１３ａ経由）および経路Ｂ（エア吐出用ポート１３ａを通らない）が形成される。しかし、沿面経路ＡおよびＢの距離は、上述したスリーブ９０６に設けた２つのフランジ部１７、もしくは電極ユニット８の外筒部分の端部に設けたフランジ部１９により、沿面放電が抑制される距離を確保するように設定されているため、外筒部分１３２等に塵や水分に付着した場合の沿面放電を防止することができる。
【００５７】
フランジ部１７はスリーブ９０６の外面の全周に渡って設けられているので、全方向に対する沿面放電の抑制を行なうことができる。スリーブ９０６のフランジ部１７以外に電極ユニット８の外筒部分１３２の端部にフランジ部１９を設けることで、エア吐出用ポート１３ａを通らない沿面経路Ｂを拡大することができる。なお、沿面放電が抑制される沿面距離とは、沿面を形成する材質とそれに印加される電圧から求めることができる。
【００５８】
またフランジ部１７がスリーブ９０６の基端近傍に設けられているため、電極ユニット８のイオン発生装置１に対する突出量が抑えられるので、イオン発生装置１の縦方向のサイズが小さくできる。さらにフランジ部１７がスリーブ９０６の周面に対して垂直方向に延びるひだ状であるため、これを横方向に延びる延面に設ける場合に比べて、イオン発生装置１の横方向のサイズを小さくすることができる。つまり、この構成により、全体が小型かつスリムなイオン発生装置１を実現することができるので、このイオン発生装置１の周りを通るダウンフロー気流を弱めたり乱したりすることが抑えられる。
【００５９】
対向電極板４の円形開口４０１は、エアユニット９のスリーブ９０６の外径寸法よりも大きな直径を有することから、円形開口４０１を形成する周縁と、フランジ部１７の外周縁との間に隙間の存在によって、両者間に沿面経路が形成されてしまうことを防止することができる。この隙間の大きさは、電極針３に印加される電圧から、沿面経路Ａの電極針３から対向電極板４に最も近いフランジ部１７の外周縁までの電圧降下分を差し引いた電圧による、前記フランジ部１７の外周縁から対向電極板４への空中放電が抑制される距離以上に設定することが好ましい。
【００６０】
電極ユニット８がエアユニット９に固定されることで、電極ユニット８の保持部分１３１とエアユニット９のスリーブ９０６とでエアユニット９のエア流路Ｆに通じるエア分岐通路ｆが形成される。エア源（図示せず）からのエアは、エアユニット９のエア流路Ｆからエア分岐通路ｆを通り、電極ユニット８に設けられたエア吐出用ポート１３ａを通じて電極針３の先端近傍から下方に向けて放出される。
【００６１】
そのことにより、電極針３の先端付近の電界で発生したイオンを電界から引き離し、帯電物に到達するイオン量を多くすることができる。また電極ユニット８をエアユニット９に組み込むと、保持部分１３１の溝に設けられたＯリング３０５ａが接点支持部９０４のスリーブ９０４ｃ内部と密着し密閉空間Ｃが形成され、電極針３と高電圧配板１２との接点部分を密閉することができる。なお、図５に示す参照符号２０はシール性を高めるためのＯリングを示す。
【００６２】
電極ユニット８への電極針３の保持方法として、１本のステンレス鋼からなる電極針３を単に挿入して保持部分１３１との摩擦力で保持するものであってもよいが、図６のように電極針３の材質としてシリコンを採用してもよく、その場合、シリコン製の電極針３の脆さを考慮して、高電圧配板１２に圧接させるのに次の様な構成を採用してもよい。
【００６３】
図６の電極ユニット８と図５との相違点は、図６の電極ユニット８の電極針３が、複数のエレメントで構成されている点にある。すなわち、図６の電極ユニット８にあっては、電極針３が、先細りした先端部を有する第１のシリコン製電極３ａと、コイルばね３ｂと、保持部分１３１に対してかしめ固定に用いるローレット加工を一部に施したステンレス鋼製の第２の電極である後端電極３ｃとで構成されている。この３つの要素３ａ〜３ｃからなる電極針３は、高電圧配板１２の突出片部分１２１に弾接する部分がステンレス鋼製電極３ｃであるため、電極針が欠ける問題を回避することができる。
【００６４】
この電極ユニット８の組立方法を以下に説明する。先端電極針を構成する第１のシリコン製電極３ａを保持部分１３１の後端から挿入する。シリコン製電極３ａは、その先細りの先端部分が、保持部分１３１の先端側に設けられたテーパー状面と係合することにより、保持部分１３１から抜け落ちることはない。
【００６５】
次に、コイルばね３ｂと、それに続いて後端電極３ｃを保持部分１３１の後端から挿入する。後端電極３ｃの挿入量を加減することにより、コイルばね３ｂを適度に圧縮して、後端電極３ｃと先端電極３ａとの電気的な接続を確実なものにすることができる。後端電極３ｃは、ローレット加工部により保持部分１３１に固定される。
【００６６】
なお、本実施例は、電極保持部として電極保持バー５を説明したが、少なくとも電極ユニット８を電極保持部とし、エアユニット９を本体ケース２に対し一体的に保持するようにしてもよい。
【００６７】
イオン発生方式の説明
図７の回路ブロック図は、本実施例で採用するパルスＡＣイオン発生方式（同一の電極針からプラスイオンとマイナスイオンとを交互に発生させる）を示している。
【００６８】
電極針３を含むイオン発生装置１は、プラス側高電圧発生回路１０２ａとマイナス側高電圧発生回路１０２ｂとからなる高圧ボックス１０２を有している。プラス側高電圧発生回路１０２ａおよびマイナス側高電圧発生回路１０２ｂの両方には、トランス１０２ｅ、１０２ｆの１次側コイルに接続された自励発信回路１０２ｃ、１０２ｄと、２次側コイルに接続された例えば倍整流回路からなる昇圧回路１０２ｇ、１０２ｈとを含む。高圧ボックス１０２と電極針３との間には保護抵抗Ｒが設けられている。
【００６９】
トランス１０２ｅ、１０２ｆの２次側コイルの接地端ＨＶＧＮＤとフレームグランドＦＧとの間に、第３の抵抗Ｒ３と第２の抵抗Ｒ２とが直列に接続されている。また、電極針３の近傍に配置された対向電極板４とフレームグランドＦＧとの間に、第１の抵抗Ｒ１と第２の抵抗Ｒ２とが直列に接続されている。
【００７０】
すなわち、対向電極板４、フレームグランドＦＧ、およびトランス１０２ｅ、１０２ｆの２次コイルの接地端ＨＶＧＮＤには、対向電極板４側に第１の抵抗Ｒ１が設けられ、フレームグランドＦＧ側に第２の抵抗Ｒ２が設けられ、トランス１０２ｅ、１０２ｆの２次コイルの接地端ＨＶＧＮＤ側に第３の抵抗Ｒ３が設けられている。なお、イオン発生装置１は、ＣＰＵ基板１０１に接続されたアラーム手段である異常放電警報ＬＥＤを有している。
【００７１】
第１の抵抗Ｒ１を流れる電流を検出することで、電極針３付近で発生されるイオンバランスを知ることができる。第２の抵抗Ｒ２を流れる電流を検出することで、帯電物付近でのイオンバランスを知ることができる。さらには第３の抵抗Ｒ３を流れる電流を検出することで、電極針３と対向電極板４もしくはフレームグランドＦＧとの間の異常放電を検出することができる。
【００７２】
イオン発生装置１は、以上のように検出された状態をＣＰＵ基板１０１に送信し、操作部６のアラーム手段である異常放電警報ＬＥＤ６０２で操作者に異常を知らせることができる。
【００７３】
なお本発明には、プラスイオン発生専用の電極針とマイナスイオン発生専用の電極針とを有したイオン発生装置において、プラスイオンとマイナスイオンを同時に発生するＳＳＤＣイオン発生方式や、プラスイオンとマイナスイオンを交互に発生するパルスＤＣイオン発生方式も適用することができる。
【００７４】
ＳＳＤＣイオン発生方式とパルスＤＣイオン発生方式は、電界を形成するために高電圧をかけた電極針に対して電位差を持つ対向電極として反対極性のイオンを発生する電極針が存在するが、本実施例が採用するパルスＡＣイオン発生方式においては、対向電極を別途設ける必要がある。
【００７５】
この場合、電極針に対する対向電極の配置される位置はイオン発生を行なう上で重要である。すなわち電極針に対する対向電極が大きい距離をもって配置される場合、形成される電界が弱くなりイオン発生は不能となる。また、逆に距離が小さい場合、空中放電が発生しイオン発生不能となる。
【００７６】
さらに、電極針と帯電物間に対向電極を配置した場合、イオン発生は十分に行なうことができるが、帯電物に到達する前に対向電極に吸収されてしまい、結果として帯電物の電荷除去作用が十分に得られなくなる。従って、パルスＡＣイオン発生方式の場合、電極針と対向電極をイオン発生に必要な電界を形成できるぐらいに接近させるとともに、生成されたイオンが帯電物に到達する前に対向電極に吸収されないようにする両方の条件を満足するためには、図５の対向電極板４で示すように電極針３のイオン照射方向とは反対に、かつ沿面放電および空中放電を起こさない位置に配置させることが重要である。
【図面の簡単な説明】
【図１】本発明のイオン発生装置の全体を示す斜視図である。
【図２】本発明のイオン発生装置の概略構成図である。
【図３】図１のイオン発生装置に含まれる電極保持バーの斜視図である。
【図４】電極保持バーの分解斜視図である。
【図５】本発明の要部の断面図である。
【図６】本発明に含まれる電極ユニットの断面図である。
【図７】本発明が適用されたイオン発生装置に含まれる回路のブロック図である。
【符号の説明】
１    イオン発生装置
２    本体ケース
３    電極針
４    対向電極板
４０１  対向電極板の円形開口
５    電極保持バー
８    電極ユニット
１７    フランジ部
１９    フランジ部
【図１】
0004903942.tif 000002
【図２】
0004903942.tif 000003
【図３】
0004903942.tif 000004
【図４】
0004903942.tif 000005
【図５】
0004903942.tif 000006
【図６】
0004903942.tif 000007
【図７】
0004903942.tif 000008